(57)【特許請求の範囲】
【請求項１】
移動通信網と無線ＬＡＮとの間でトラフィックステアリングを行う無線端末であって、
前記トラフィックステアリングを行うか否かを判定するための判定パラメータとして、前記移動通信網に設けられるセルから個別に通知される個別パラメータを受信する受信部と、
前記セルに対してＲＲＣアイドル状態に遷移した後、ＲＲＣコネクティッド状態に遷移するために前記セルに対する接続処理を行った場合に、前記個別パラメータを破棄する制御部とを備えることを特徴とする無線端末。
【請求項２】
前記制御部は、前記アイドル状態への遷移に応じて開始される所定タイマが実行されている期間において、前記個別パラメータを保持し、
前記制御部は、前記アイドル状態への遷移後に前記接続処理を行った場合に、前記所定タイマを停止することを特徴とする請求項１に記載の無線端末。
【請求項３】
前記制御部は、前記アイドル状態への遷移後に前記無線ＬＡＮの品質劣化が要因で前記接続処理を行った場合に、前記所定タイマを停止することを特徴とする請求項２に記載の無線端末。
【請求項４】
前記制御部は、前記所定タイマの停止に伴って、前記個別パラメータを破棄することを特徴とする請求項２に記載の無線端末。
【請求項５】
移動通信網と無線ＬＡＮとの間でトラフィックステアリングを行う無線端末を制御するプロセッサであって、
前記トラフィックステアリングを行うか否かを判定するための判定パラメータとして、前記移動通信網に設けられるセルから個別に通知される個別パラメータを受信する処理と、
前記セルに対してＲＲＣアイドル状態に遷移した後、ＲＲＣコネクティッド状態に遷移するために前記セルに対する接続処理を行った場合に、前記個別パラメータを破棄する処理と、を実行することを特徴とするプロセッサ。
【発明の詳細な説明】
【技術分野】
【０００１】
本発明は、移動通信網のカバレッジエリアと無線ＬＡＮのカバレッジエリアとの間で待ち受け先又は接続先を切り替える切替処理を行うシステムで用いる無線端末、無線基地局及び無線端末で用いるプロセッサに関する。
【背景技術】
【０００２】
従来、ＬＴＥ（Ｌｏｎｇ  Ｔｅｒｍ  Ｅｖｏｌｕｔｉｏｎ）に代表される移動通信網のカバレッジエリアと無線ＬＡＮのカバレッジエリアの少なくとも一部が重複している場合に、移動通信網と無線ＬＡＮとの間で待ち受け先又は接続先を切り替える切替処理（ネットワークセレクション及びトラフィックステアリング）が提案されている。具体的には、切替処理は、移動通信網側の第１情報が第１条件を満たすか否か及び無線ＬＡＮ側の第２情報が第２条件を満たすか否かに基づいて行われる。【０００３】
ここで、移動通信網側の第１情報は、例えば、受信信号の信号レベル（ＲＳＲＰ；Ｒｅｆｅｒｅｎｃｅ  Ｓｉｇｎａｌ  Ｒｅｃｅｉｖｅｄ  Ｐｏｗｅｒ）の測定結果（ＲＳＲＰｍｅａｓ）及び受信信号の信号品質（ＲＳＲＱ；Ｒｅｆｅｒｅｎｃｅ  Ｓｉｇｎａｌ  Ｒｅｃｅｉｖｅｄ  Ｑｕａｌｉｔｙ）の測定結果（ＲＳＲＱｍｅａｓ）である。無線ＬＡＮ側の第２情報は、例えば、無線ＬＡＮのチャネル利用値、無線ＬＡＮのバックホール値、受信信号の信号強度（ＲＳＳＩ；Ｒｅｃｅｉｖｅｄ  Ｓｉｇｎａｌ  Ｓｔｒｅｎｇｔｈ  Ｉｎｄｉｃａｔｏｒ）である。【０００４】
ところで、移動通信網と無線ＬＡＮとの間で待ち受け先又は接続先を切り替える切替処理を行うか否かを判定するための判定パラメータは、移動通信網に設けられる無線基地局から無線端末に対して通知される。判定パラメータとしては、無線端末に対して個別に通知される個別パラメータ及び無線端末に対して報知される報知パラメータが存在する。【０００５】
なお、個別パラメータに含まれる値の種類は、報知パラメータに含まれる値の種類と略同様である。また、報知パラメータに加えて個別パラメータを無線端末が受信した場合には、個別パラメータが報知パラメータよりも優先して適用される。【０００６】
このような背景下において、移動通信網の標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、移動通信網から無線ＬＡＮに待ち受け先又は接続先を切り替える切替処理（以下、オフロード処理）に伴ってアイドル状態への遷移が行われると、所定タイマを起動するとともに、所定タイマが満了するまで個別パラメータを適用する旨が提案されている。【０００７】
上述した３ＧＰＰでは、個別パラメータを通知するセルと同一のセルに対する接続処理を行う場合には、所定タイマが満了するまで個別パラメータを保持する旨が提案されている。【０００８】
しかしながら、移動通信網に設けられる無線基地局は、オフロード処理によってコネクティッド状態からアイドル状態に無線端末が遷移すると、無線端末に通知していた個別パラメータを破棄する虞がある。従って、オフロード処理が行われた後に、個別パラメータを通知するセルと同一のセルに対する接続処理（以下、オンロード処理）が行われた場合に、無線基地局は、無線端末に通知した個別パラメータを保持していない虞がある。【０００９】
すなわち、オフロード処理が行われた後にオンロード処理が行われるケースを想定した場合に、個別パラメータの状態を無線基地局が把握できない虞がある。個別パラメータの状態とは、無線端末が個別パラメータを保持しているか否か及び／又は無線端末が保持する個別パラメータの値である。
【先行技術文献】
【非特許文献】
【００１０】
【非特許文献１】ＴＳ３６．３０４Ｖ１２．１．０
【発明の概要】
【００１１】
第１の特徴は、移動通信網と無線ＬＡＮとの間でトラフィックステアリングを行う無線端末であって、前記トラフィックステアリングを行うか否かを判定するための判定パラメータとして、前記移動通信網に設けられるセルから個別に通知される個別パラメータを受信する受信部と、前記セルに対してＲＲＣアイドル状態に遷移した後、ＲＲＣコネクティッド状態に遷移するために前記セルに対する接続処理を行った場合に、前記個別パラメータを破棄する制御部とを備えることを要旨とする。
【図面の簡単な説明】
【００１２】
【図１】図１は、第１実施形態に係る通信システム１を示す図である。
【図２】図２は、第１実施形態に係る無線端末１０を示すブロック図である。
【図３】図３は、第１実施形態に係る無線基地局１００を示すブロック図である。
【図４】図４は、第１実施形態に係る切替処理の判定（移動通信網側）を説明するための図である。
【図５】図５は、第１実施形態に係る切替処理の判定（無線ＬＡＮ側）を説明するための図である。
【図６】図６は、第１実施形態に係る通信方法を示すシーケンス図である。
【図７】図７は、変更例１に係る通信方法を示すシーケンス図である。
【図８】図８は、変更例２に係る通信方法を示すシーケンス図である。
【発明を実施するための形態】
【００１３】
以下において、本発明の実施形態に係る無線端末及び無線基地局について、図面を参照しながら説明する。なお、以下の図面の記載において、同一又は類似の部分には、同一又は類似の符号を付している。
【００１４】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１５】
［実施形態の概要］
第１に、実施形態の第１の特徴に係る無線端末は、無線ＬＡＮのカバレッジエリアの少なくとも一部が移動通信網のカバレッジエリアと重複している場合に、前記移動通信網と前記無線ＬＡＮとの間で待ち受け先又は接続先を切り替える切替処理を行う。前記無線端末は、前記切替処理を行うか否かを判定するための判定パラメータとして、前記移動通信網に設けられるセルから個別に通知される個別パラメータを受信する受信部と、前記移動通信網から前記無線ＬＡＮに対して待ち受け先又は接続先を切り替えるオフロード処理を行った後に、前記セルに対する接続処理を行うオンロード処理を行った場合に、前記個別パラメータを破棄する制御部とを備える。
【００１６】
このような実施形態では、無線端末は、オフロード処理を行った後にオンロード処理を行った場合に、個別パラメータを破棄する。無線端末は、個別パラメータを破棄しているため、無線基地局から判定パラメータとして新たな報知パラメータを受信すると、新たな報知パラメータに基づいて切替処理を行うか否かを判定する。従って、無線基地局は、報知パラメータを改めて報知することによって、無線端末の切替処理を制御することができ、無線基地局が把握できていない個別パラメータを無線端末が用いる事態の発生が抑制される。
【００１７】
なお、無線端末が個別パラメータを保持している場合には、無線基地局から判定パラメータとして新たな報知パラメータを受信しても、個別パラメータが報知パラメータよりも優先されるため、無線基地局が把握できていない個別パラメータが無線端末で用いられてしまうことに留意すべきである。
【００１８】
第１の特徴において、前記制御部は、前記オフロード処理に伴うアイドル状態の遷移に応じて起動される所定タイマが起動されている期間において、前記個別パラメータを保持するように構成されており、前記制御部は、前記オフロード処理を行った後に前記オンロード処理を行った場合に、前記所定タイマを停止してもよい。
【００１９】
第１の特徴において、前記制御部は、前記オフロード処理を行った後に前記無線ＬＡＮの品質劣化が要因で前記オンロード処理を行った場合に、前記所定タイマを停止してもよい。
【００２０】
第１の特徴において、前記制御部は、前記タイマの停止に伴って、前記個別パラメータを破棄してもよい。
【００２１】
第１の特徴において、前記制御部は、前記オフロード処理を行った後に前記無線ＬＡＮの品質劣化が要因で前記オンロード処理を行った場合に、前記個別パラメータを破棄してもよい。
【００２２】
第１の特徴において、前記制御部は、前記オフロード処理を行った後に前記無線ＬＡＮの品質劣化以外の要因で前記オンロード処理を行った場合に、前記個別パラメータを破棄せずに保持してもよい。
【００２３】
第２に、実施形態の第２の特徴に係る無線端末は、無線ＬＡＮのカバレッジエリアの少なくとも一部が移動通信網のカバレッジエリアと重複している場合に、前記移動通信網と前記無線ＬＡＮとの間で待ち受け先又は接続先を切り替える切替処理を行う。前記無線端末は、前記切替処理を行うか否かを判定するための判定パラメータとして、前記移動通信網に設けられるセルから個別に通知される個別パラメータを受信する受信部と、前記移動通信網から前記無線ＬＡＮに対して待ち受け先又は接続先を切り替えるオフロード処理を行った後に、前記セルに対する接続処理を行うオンロード処理を行った場合に、前記個別パラメータの状態を示す情報を前記無線基地局に送信する送信部とを備える。
【００２４】
このような実施形態では、無線端末は、オフロード処理を行った後にオンロード処理を行った場合に、個別パラメータの状態を示す情報を無線基地局に送信する。個別パラメータの状態を示す情報は、例えば、無線端末が個別パラメータを保持しているか否かを示す情報及び無線端末が保持する個別パラメータの値を示す情報のうち少なくともいずれか１つである。従って、個別パラメータの状態を示す情報として、無線端末が個別パラメータを保持しているか否かを示す情報を用いる場合には、無線基地局は、無線基地局が把握できていない個別パラメータを保持する無線端末を特定することができる。すなわち、無線基地局は、個別パラメータを保持する無線端末に対して個別パラメータを改めて報知することによって、無線端末の切替処理を制御することができ、無線基地局が把握できていない個別パラメータを無線端末が用いる事態の発生が抑制される。なお、個別パラメータの状態を示す情報として、無線端末が保持する個別パラメータの値を示す情報を用いる場合には、無線基地局は、無線端末が保持する個別パラメータを把握することができることは勿論である。
【００２５】
第３に、実施形態の第３の特徴に係る無線基地局は、無線ＬＡＮのカバレッジエリアの少なくとも一部が移動通信網のカバレッジエリアと重複している場合に、前記移動通信網と前記無線ＬＡＮとの間で待ち受け先又は接続先を切り替える切替処理を行うシステムにおいて、前記移動通信網に設けられる。無線基地局は、前記切替処理を行うか否かを判定するための判定パラメータとして、無線端末に個別に通知される個別パラメータを送信する送信部と、前記移動通信網から前記無線ＬＡＮに対して待ち受け先又は接続先を切り替えるオフロード処理又はアイドル状態への遷移を行った無線端末に通知した前記個別パラメータを、前記オフロード処理又は前記アイドル状態への遷移が行われてから一定期間に亘って保持する制御部とを備える。
【００２６】
このような実施形態では、無線基地局は、オフロード処理又はアイドル状態への遷移を行った無線端末に通知した個別パラメータを、オフロード処理又はアイドル状態への遷移が行われてから一定期間に亘って保持する。従って、無線端末がオフロード処理を行った後にオンロード処理を行った場合であっても、オフロード処理を行った無線端末に通知した個別パラメータを無線基地局が保持する可能性が向上する。言い換えると、無線基地局が把握できていない個別パラメータを無線端末が用いる事態の発生が抑制される。
【００２７】
第３の特徴において、前記制御部は、前記オフロード処理を行う前に前記無線端末に割り当てていた識別情報と対応付けて、前記個別パラメータを保持してもよい。
【００２８】
［第１実施形態］
（通信システム）
以下において、第１実施形態に係る通信システムについて説明する。図１は、第１実施形態に係る通信システム１を示す図である。
【００２９】
図１に示すように、通信システム１は、無線基地局１００と、アクセスポイント２００とを有する。また、通信システム１は、無線基地局１００又はアクセスポイント２００と接続可能な無線端末１０を備える。
【００３０】
無線端末１０は、携帯電話又はタブレットなどの端末である。無線端末１０は、無線基地局１００と無線通信を行う機能に加えて、アクセスポイント２００と無線通信を行う機能を有する。
【００３１】
無線基地局１００は、第１カバレッジエリア１００Ａを有しており、第１カバレッジエリア１００Ａにおいて、ＬＴＥ（Ｌｏｎｇ  Ｔｅｒｍ  Ｅｖｏｌｕｔｉｏｎ）に代表される移動通サービスを提供する。無線基地局１００は、１つ又は複数のセルを管理しており、第１カバレッジエリア１００Ａは、１つ又は複数のセルによって構成される。無線基地局１００は、移動通信網のエンティティである。なお、セルとは、地理的なエリアを示す用語と考えてもよく、無線端末１０と無線通信を行う機能と考えてもよい。
【００３２】
アクセスポイント２００は、第２カバレッジエリア２００Ａを有しており、第２カバレッジエリア２００Ａにおいて、無線ＬＡＮサービスを提供する。アクセスポイント２００は、無線ＬＡＮのエンティティである。第２カバレッジエリア２００Ａの少なくとも一部は、第１カバレッジエリア１００Ａと重複する。第２カバレッジエリア２００Ａの全部が第１カバレッジエリア１００Ａと重複していてもよい。一般的には、第２カバレッジエリア２００Ａは、第１カバレッジエリア１００Ａよりも小さい。
【００３３】
（適用シーン）
第１実施形態において、移動通信網と無線ＬＡＮとの間で待ち受け先又は接続先を切り替える切替処理（例えば、ネットワークセレクション及びトラフィックステアリング）を行う方法について説明する。具体的には、移動通信網側の第１情報が第１条件を満たしており、かつ、無線ＬＡＮ側の第２情報が第２条件を満たしている状態が所定期間に亘って継続する場合に、切替処理（例えば、ネットワークセレクション及びトラフィックステアリング）が実行される。
【００３４】
第１実施形態において、切替処理は、移動通信網から無線ＬＡＮに対して待ち受け先又は接続先を切り替える処理、及び、無線ＬＡＮから移動通信網に対して待ち受け先又は接続先を切り替える処理の双方を含む。
【００３５】
ここで、移動通信網側の第１情報は、例えば、受信信号の信号レベル（ＲＳＲＰ；Ｒｅｆｅｒｅｎｃｅ  Ｓｉｇｎａｌ  Ｒｅｃｅｉｖｅｄ  Ｐｏｗｅｒ）の測定結果（ＲＳＲＰｍｅａｓ）及び受信信号の信号品質（ＲＳＲＱ；Ｒｅｆｅｒｅｎｃｅ  Ｓｉｇｎａｌ  Ｒｅｃｅｉｖｅｄ  Ｑｕａｌｉｔｙ）の測定結果（ＲＳＲＱｍｅａｓ）である。
【００３６】
無線ＬＡＮ側の第２情報は、例えば、無線ＬＡＮのチャネル利用値（ＣｈａｎｎｅｌＵｔｉｌｉｚａｔｉｏｎＷＬＡＮ）、無線ＬＡＮの下りリンクのバックホール値（ＢａｃｋｈａｕｌＲａｔｅＤｌＷＬＡＮ）、無線ＬＡＮの上りリンクのバックホール値（ＢａｃｋｈａｕｌＲａｔｅＵｌＷＬＡＮ）、受信信号の信号レベル（ＲＳＳＩ；Ｒｅｃｅｉｖｅｄ  Ｓｉｇｎａｌ  Ｓｔｒｅｎｇｔｈ  Ｉｎｄｉｃａｔｏｒ）である。
【００３７】
（移動通信網から無線ＬＡＮに対する切替処理）
移動通信網から無線ＬＡＮに対して待ち受け先又は接続先を切り替える第１条件は、例えば、以下の条件（１ａ）又は（１ｂ）のいずれかが満たされることである。但し、第１条件は、以下の条件（１ａ）〜（１ｂ）の全てが満たされることであってもよい。
【００３８】
（１ａ）ＲＳＲＰｍｅａｓ＜ＴｈｒｅｓｈＳｅｒｖｉｎｇＯｆｆｌｏａｄＷＬＡＮ，ＬｏｗＰ
（１ｂ）ＲＳＲＱｍｅａｓ＜ＴｈｒｅｓｈＳｅｒｖｉｎｇＯｆｆｌｏａｄＷＬＡＮ，ＬｏｗＱ
【００３９】
なお、“ＴｈｒｅｓｈＳｅｒｖｉｎｇＯｆｆｌｏａｄＷＬＡＮ，ＬｏｗＰ”及び“ＴｈｒｅｓｈＳｅｒｖｉｎｇＯｆｆｌｏａｄＷＬＡＮ，ＬｏｗＱ”は、無線基地局１００から提供される閾値又は予め定められた閾値である。
【００４０】
移動通信網から無線ＬＡＮに対して待ち受け先又は接続先を切り替える第２条件は、例えば、以下の条件（１ｃ）〜（１ｆ）の全てが満たされることである。但し、第２条件は、以下の条件（１ｃ）〜（１ｆ）のいずれかが満たされることであってもよい。
【００４１】
（１ｃ）ＣｈａｎｎｅｌＵｔｉｌｉｚａｔｉｏｎＷＬＡＮ＜ＴｈｒｅｓｈＣｈＵｔｉｌＷＬＡＮ，Ｌｏｗ
（１ｄ）ＢａｃｋｈａｕｌＲａｔｅＤｌＷＬＡＮ＞ＴｈｒｅｓｈＢａｃｋｈＲａｔｅＤＬＷＬＡＮ，Ｈｉｇｈ
（１ｅ）ＢａｃｋｈａｕｌＲａｔｅＵｌＷＬＡＮ＞ＴｈｒｅｓｈＢａｃｋｈＲａｔｅＵＬＷＬＡＮ，Ｈｉｇｈ
（１ｆ）ＲＳＳＩ＞ＴｈｒｅｓｈＢＥＡＣＯＮSＲＳＳＩ，Ｈｉｇｈ
【００４２】
なお、“ＴｈｒｅｓｈＣｈＵｔｉｌＷＬＡＮ，Ｌｏｗ”、“ＴｈｒｅｓｈＢａｃｋｈＲａｔｅＤＬＷＬＡＮ，Ｈｉｇｈ”、“ＴｈｒｅｓｈＢａｃｋｈＲａｔｅＵＬＷＬＡＮ，Ｈｉｇｈ”及び“ＴｈｒｅｓｈＢＥＡＣＯＮSＲＳＳＩ，Ｈｉｇｈ”は、無線基地局１００から提供される閾値又は予め定められた閾値である。
【００４３】
（無線ＬＡＮから移動通信網に対する切替処理）
無線ＬＡＮから移動通信網に対して待ち受け先又は接続先を切り替える第１条件は、例えば、以下の条件（２ａ）及び（２ｂ）が満たされることである。但し、第１条件は、以下の条件（２ａ）又は（２ｂ）のいずれかが満たされることであってもよい。
【００４４】
（２ａ）ＲＳＲＰｍｅａｓ＞ＴｈｒｅｓｈＳｅｒｖｉｎｇＯｆｆｌｏａｄＷＬＡＮ，ＨｉｇｈＰ
（２ｂ）ＲＳＲＱｍｅａｓ＞ＴｈｒｅｓｈＳｅｒｖｉｎｇＯｆｆｌｏａｄＷＬＡＮ，ＨｉｇｈＱ
【００４５】
なお、“ＴｈｒｅｓｈＳｅｒｖｉｎｇＯｆｆｌｏａｄＷＬＡＮ，ＨｉｇｈＰ”及び“ＴｈｒｅｓｈＳｅｒｖｉｎｇＯｆｆｌｏａｄＷＬＡＮ，ＨｉｇｈＱ”は、無線基地局１００から提供される閾値又は予め定められた閾値である。
【００４６】
無線ＬＡＮから移動通信網に対して待ち受け先又は接続先を切り替える第２条件は、例えば、以下の条件（２ｃ）〜（２ｆ）のいずれかが満たされることである。但し、第２条件は、以下の条件（２ｃ）〜（２ｆ）の全てが満たされることであってもよい。
【００４７】
（２ｃ）ＣｈａｎｎｅｌＵｔｉｌｉｚａｔｉｏｎＷＬＡＮ＞ＴｈｒｅｓｈＣｈＵｔｉｌＷＬＡＮ，Ｈｉｇｈ
（２ｄ）ＢａｃｋｈａｕｌＲａｔｅＤｌＷＬＡＮ＜ＴｈｒｅｓｈＢａｃｋｈＲａｔｅＤＬＷＬＡＮ，Ｌｏｗ
（２ｅ）ＢａｃｋｈａｕｌＲａｔｅＵｌＷＬＡＮ＜ＴｈｒｅｓｈＢａｃｋｈＲａｔｅＵＬＷＬＡＮ，Ｌｏｗ
（２ｆ）ＲＳＳＩ＜ＴｈｒｅｓｈＢＥＡＣＯＮSＲＳＳＩ，Ｌｏｗ
【００４８】
なお、“ＴｈｒｅｓｈＣｈＵｔｉｌＷＬＡＮ，Ｈｉｇｈ”、“ＴｈｒｅｓｈＢａｃｋｈＲａｔｅＤＬＷＬＡＮ，Ｌｏｗ”、“ＴｈｒｅｓｈＢａｃｋｈＲａｔｅＵＬＷＬＡＮ，Ｌｏｗ”及び“ＴｈｒｅｓｈＢＥＡＣＯＮSＲＳＳＩ，Ｌｏｗ”は、無線基地局１００から提供される閾値又は予め定められた閾値である。
【００４９】
なお、上述した閾値が提供されていない場合には、無線端末１０は、閾値が提供されていない情報の取得（すなわち、受信又は測定）を省略してもよい。
【００５０】
第１実施形態において、上述した各種閾値は、移動通信網と無線ＬＡＮとの間で待ち受け先又は接続先を切り替える切替処理を行うか否かを判定するための判定パラメータの一例である。すなわち、判定パラメータは、“ＴｈｒｅｓｈＳｅｒｖｉｎｇＯｆｆｌｏａｄＷＬＡＮ，ＬｏｗＰ”、“ＴｈｒｅｓｈＳｅｒｖｉｎｇＯｆｆｌｏａｄＷＬＡＮ，ＬｏｗＱ”、“ＴｈｒｅｓｈＣｈＵｔｉｌＷＬＡＮ，Ｌｏｗ”、“ＴｈｒｅｓｈＢａｃｋｈＲａｔｅＤＬＷＬＡＮ，Ｈｉｇｈ”、“ＴｈｒｅｓｈＢａｃｋｈＲａｔｅＵＬＷＬＡＮ，Ｈｉｇｈ”、“ＴｈｒｅｓｈＢＥＡＣＯＮSＲＳＳＩ，Ｈｉｇｈ”、“ＴｈｒｅｓｈＳｅｒｖｉｎｇＯｆｆｌｏａｄＷＬＡＮ，ＨｉｇｈＰ”、“ＴｈｒｅｓｈＳｅｒｖｉｎｇＯｆｆｌｏａｄＷＬＡＮ，ＨｉｇｈＱ”、“ＴｈｒｅｓｈＣｈＵｔｉｌＷＬＡＮ，Ｈｉｇｈ”、“ＴｈｒｅｓｈＢａｃｋｈＲａｔｅＤＬＷＬＡＮ，Ｌｏｗ”、“ＴｈｒｅｓｈＢａｃｋｈＲａｔｅＵＬＷＬＡＮ，Ｌｏｗ”及び“ＴｈｒｅｓｈＢＥＡＣＯＮSＲＳＳＩ，Ｌｏｗ”の中から選択された１つ以上の値を含む。
【００５１】
さらに、判定パラメータは、第１条件又は第２条件が満たされている状態が継続すべき所定期間（ＴｓｔｅｅｒｉｎｇＷＬＡＮ）を含んでもよい。或いは、判定パラメータは、移動通信網から無線ＬＡＮに対して待ち受け先又は接続先を切り替えるオフロード処理を行った場合に、後述する個別パラメータを無線端末１０が保持すべき所定期間（Ｔ３５０タイマ値）を含んでもよい。
【００５２】
判定パラメータとしては、無線基地局１００から無線端末１０に対して個別に通知される個別パラメータ及び無線基地局１００から無線端末１０に対して報知される報知パラメータが存在する。個別パラメータは、例えば、無線基地局１００から無線端末１０に送信されるＲＲＣメッセージ（例えば、ＲＲＣ  Ｃｏｎｎｅｃｔｉｏｎ  Ｒｅｃｏｎｆｉｇｕｒａｔｉｏｎ）に含まれる。報知パラメータは、例えば、無線基地局１００から報知されるＳＩＢ（例えば、ＷＬＡＮ−ＯｆｆｌｏａｄＣｏｎｆｉｇ−ｒ１２）に含まれる。無線端末１０は、報知パラメータに加えて個別パラメータを受信した場合に、報知パラメータよりも個別パラメータを優先して適用することに留意すべきである。
【００５３】
（無線端末）
以下において、第１実施形態に係る無線端末について説明する。図２は、第１実施形態に係る無線端末１０を示すブロック図である。
【００５４】
図２に示すように、無線端末１０は、ＬＴＥ無線通信部１１と、ＷＬＡＮ無線通信部１２と、制御部１３とを有する。
【００５５】
ＬＴＥ無線通信部１１は、無線基地局１００と無線通信を行う機能を有する。例えば、ＬＴＥ無線通信部１１は、無線基地局１００から参照信号を定期的に受信する。ＬＴＥ無線通信部１１は、参照信号の信号レベル（ＲＳＲＰ）及び参照信号の信号品質（ＲＳＲＱ）を定期的に測定する。ＬＴＥ無線通信部１１は、判定パラメータとして個別パラメータ及び報知パラメータを無線基地局１００から受信する。
【００５６】
ＷＬＡＮ無線通信部１２は、アクセスポイント２００と無線通信を行う機能を有する。例えば、ＷＬＡＮ無線通信部１２は、アクセスポイント２００からビーコン又はプローブ応答を受信する。ビーコン又はプローブ応答は、ＢＢＳ  Ｌｏａｄ情報要素を含み、無線ＬＡＮのチャネル利用値（ＣｈａｎｎｅｌＵｔｉｌｉｚａｔｉｏｎＷＬＡＮ）は、ＢＢＳ  Ｌｏａｄ情報要素から取得することができる。
【００５７】
ＷＬＡＮ無線通信部１２は、アクセスポイント２００に対する要求（ＧＡＳ（Ｇｅｎｅｒｉｃ  Ａｄｖｅｒｔｉｓｅｍｅｎｔ  Ｓｅｒｖｉｃｅ）  Ｒｅｑｕｅｓｔ）に応じてアクセスポイント２００から返信される応答（ＧＡＳ  Ｒｅｓｐｏｎｓｅ）を受信する。応答（ＧＡＳ  Ｒｅｓｐｏｎｓｅ）は、無線ＬＡＮの下りリンクのバックホール値（ＢａｃｋｈａｕｌＲａｔｅＤｌＷＬＡＮ）及び無線ＬＡＮの上りリンクのバックホール値（ＢａｃｋｈａｕｌＲａｔｅＵｌＷＬＡＮ）を含む。このような問合せ手順は、ＷＦＡ（Ｗｉ−Ｆｉ  Ａｌｌｉａｎｃｅ）のＨｏｔｓｐｏｔ２．０で規定されるＡＮＱＰ（Ａｃｃｅｓｓ  Ｎｅｔｗｏｒｋ  Ｑｕｅｒｙ  Ｐｒｏｔｏｃｏｌ）に従って行われる。
【００５８】
ＷＬＡＮ無線通信部１２は、アクセスポイント２００から信号を受信する。ＷＬＡＮ無線通信部１２は、受信信号の信号レベル（ＲＳＳＩ）を測定する。受信信号の信号レベル（ＲＳＳＩ）は、ビーコン又はプローブ応答の信号強度である。
【００５９】
制御部１３は、ＣＰＵ及びメモリ等によって構成されており、無線端末１０を制御する。具体的には、制御部１３は、移動通信網側の第１情報が第１条件を満たしており、かつ、無線ＬＡＮ側の第２情報が第２条件を満たしている状態が所定期間に亘って継続する場合に、移動通信網と無線ＬＡＮとの間で待ち受け先又は接続先を切り替える切替処理を実行する。
【００６０】
第１実施形態において、制御部１３は、移動通信網から無線ＬＡＮに対して待ち受け先又は接続先を切り替えるオフロード処理を行った後に、個別パラメータを通知するセルと同一のセルに対する接続処理を行うオンロード処理を行った場合に、個別パラメータを破棄する。
【００６１】
詳細には、制御部１３は、原則として、オフロード処理に伴うアイドル状態への遷移に応じて起動される所定タイマ（上述した（Ｔ３５０タイマ）が起動されている期間（Ｔ３５０タイマ値）において、個別パラメータを保持するように構成されている。言い換えると、制御部１３は、所定タイマの満了又は所定タイマの停止によって、個別パラメータを破棄するように構成されている。
【００６２】
このようなケースにおいて、制御部１３は、オフロード処理を行った後にオンロード処理を行った場合に、所定タイマを停止することが好ましい。例えば、制御部１３は、オフロード処理を行った後に無線ＬＡＮの品質劣化が要因でオンロード処理を行った場合に、所定タイマを停止することが好ましい。無線ＬＡＮの品質劣化とは、上述した条件（２ｃ）〜（２ｆ）のいずれかが満たされることである。但し、第２条件は、上述したように、条件（２ｃ）〜（２ｆ）の全てが満たされることであってもよい。
【００６３】
言い換えると、制御部１３は、通話アプリケーションの起動等によって移動通信網に接続する必要が生じたことが要因で、個別パラメータを通知するセルと同一のセルに対する接続処理を行った場合には、所定タイマを停止しなくてもよい。すなわち、制御部１３は、個別パラメータを破棄せずに保持し、通話アプリケーションの終了等に伴って、個別パラメータに基づいてオフロード処理を行うか否かを判定する。これによって、例えば、無線端末１０を無線ＬＡＮ側に誘導しやすい状態が継続するため、移動通信網の負荷が軽減される。
【００６４】
（無線基地局）
以下において、第１実施形態に係る無線基地局について説明する。図３は、第１実施形態に係る無線基地局１００を示すブロック図である。
【００６５】
図３に示すように、無線基地局１００は、ＬＴＥ無線通信部１１０と、制御部１２０とを有する。
【００６６】
ＬＴＥ無線通信部１１０は、無線端末１０と無線通信を行う機能を有する。例えば、ＬＴＥ無線通信部１１０は、無線端末１０に対して参照信号を定期的に送信する。ＬＴＥ無線通信部１１０は、判定パラメータとして個別パラメータ及び報知パラメータを無線端末１０に送信する。上述したように、ＬＴＥ無線通信部１１０は、ＲＲＣメッセージ（例えば、ＲＲＣ  Ｃｏｎｎｅｃｔｉｏｎ  Ｒｅｃｏｎｆｉｇｕｒａｔｉｏｎ）によって個別パラメータを無線端末１０に通知し、ＳＩＢ（例えば、ＷＬＡＮ−ＯｆｆｌｏａｄＣｏｎｆｉｇ−ｒ１２）によって報知パラメータを無線端末１０に通知する。
【００６７】
制御部１２０は、ＣＰＵ及びメモリ等によって構成されており、無線基地局１００を制御する。第１実施形態において、制御部１２０は、無線端末１０がオフロード処理を行った場合に、或いは、無線端末１０がアイドル状態に遷移した場合に、オフロード処理を行った無線端末１０に通知した個別パラメータを破棄することに留意すべきである。ここで、無線基地局１００の制御部１２０は、無線端末１０がアイドル状態に遷移した理由が無線ＬＡＮへの切替処理であるのか把握できない可能性がある。従って、制御部１２０は、無線端末１０がアイドル状態に遷移した場合に、アイドル状態への遷移の理由を問わずに個別パラメータを破棄してもよいことに留意すべきである。
【００６８】
（切替処理の判定）
以下において、切替処理の判定について、移動通信網から無線ＬＡＮに対する切替処理を例に挙げて説明する。
【００６９】
第１に、第１情報が第１条件を満たしている状態が所定期間（ＴｓｔｅｅｒｉｎｇＷＬＡＮ）に亘って継続するか否かを判定する方法について説明する。第１情報は、参照信号の信号レベル（ＲＳＲＰ）の測定結果（ＲＳＲＰｍｅａｓ）又は参照信号の信号品質（ＲＳＲＰ）の測定結果（ＲＳＲＱｍｅａｓ）であり、参照信号は短い周期で定期的に受信され、ＲＳＲＰｍｅａｓ又はＲＳＲＱｍｅａｓが比較的に短い周期で測定される。すなわち、図４に示すように、ＲＳＲＰｍｅａｓ又はＲＳＲＱｍｅａｓは、時間軸方向において連続的に取得される。
【００７０】
第２に、第２情報が第２条件を満たしている状態が所定期間（ＴｓｔｅｅｒｉｎｇＷＬＡＮ）に亘って継続するか否かを判定する方法について説明する。第２情報を取得する周期について取り決めがない。すなわち、図５に示すように、第２情報（例えば、ＢａｃｋｈａｕｌＲａｔｅＤｌＷＬＡＮ又はＢａｃｋｈａｕｌＲａｔｅＵｌＷＬＡＮ）は、時間軸方向において離散的に取得される。
【００７１】
（通信方法）
以下において、第１実施形態に係る通信方法について説明する。図６は、第１実施形態に係る通信方法を示すシーケンス図である。ここでは、オフロード処理が行われた後にオンロード処理が行われるケースについて説明する。
【００７２】
図６に示すようにステップＳ１１において、無線端末１０は、無線基地局１００に在圏している。「在圏」とは、無線基地局１００が管理するセルに対する待ち受け状態（ＲＲＣアイドル状態）であってもよく、無線基地局１００が管理するセルに接続された接続状態（ＲＲＣコネクティッド状態）であってもよい。
【００７３】
ステップＳ１２において、無線端末１０は、判定パラメータとして報知パラメータを無線基地局１００から受信する。報知パラメータは、上述したように、無線基地局１００から報知されるＳＩＢ（例えば、ＷＬＡＮ−ＯｆｆｌｏａｄＣｏｎｆｉｇ−ｒ１２）に含まれる。
【００７４】
ステップＳ１３において、無線端末１０は、判定パラメータとして個別パラメータを無線基地局１００から受信する。個別パラメータは、上述したように、無線基地局１００から通知されるＲＲＣメッセージ（例えば、ＲＲＣ  Ｃｏｎｎｅｃｔｉｏｎ  Ｒｅｃｏｎｆｉｇｕｒａｔｉｏｎ）に含まれる。
【００７５】
ステップＳ１４において、無線端末１０は、個別パラメータに基づいて、上述した第１条件（条件（１ａ）又は（１ｂ））及び第２条件（条件（１ｃ）〜（１ｆ））が満たされるか否かを判定する。ここでは、無線端末１０は、第１条件及び第２条件が満たされたと判定して、移動通信網から無線ＬＡＮに対して待ち受け先又は接続先を切り替えるオフロード処理（アイドル状態遷移処理）を行う。
【００７６】
ステップＳ１５において、無線端末１０は、オフロード処理に伴ってアイドル状態に遷移するため、所定タイマ（上述した（Ｔ３５０タイマ）を起動する。無線端末１０は、所定タイマ（上述した（Ｔ３５０タイマ）が起動されている期間（Ｔ３５０タイマ値）において、個別パラメータを保持するように構成されている。
【００７７】
ステップＳ１６において、無線基地局１００は、オフロード処理に伴ってアイドル状態に遷移した無線端末１０に通知した個別パラメータを破棄する。
【００７８】
ステップＳ１７において、無線端末１０は、個別パラメータに基づいて、上述した第１条件（条件（２ａ）又は（２ｂ））及び第２条件（条件（２ｃ）〜（２ｆ））が満たされるか否かを判定する。ここでは、無線端末１０は、第１条件及び第２条件が満たされたと判定して、個別パラメータを通知するセルと同一のセルに対する接続処理を行うオンロード処理を行う。
【００７９】
ステップＳ１８において、無線端末１０は、所定タイマ（上述した（Ｔ３５０タイマ）を停止する。
【００８０】
ステップＳ１９において、無線端末１０は、無線基地局１００から個別に受信した個別パラメータを破棄する。具体的には、無線端末１０は、所定タイマ（上述した（Ｔ３５０タイマ）の停止に応じて個別パラメータを破棄する。言い換えると、無線端末１０は、所定タイマ（上述した（Ｔ３５０タイマ））の満了前であっても個別パラメータを破棄する。
【００８１】
ここで、オンロード処理の要因は、無線ＬＡＮの品質劣化が要因であることが好ましい。言い換えると、無線端末１０は、通話アプリケーションの起動等によって移動通信網に接続する必要が生じた場合には、所定タイマ（上述した（Ｔ３５０タイマ））の停止処理を行わなくてもよい。
【００８２】
（作用及び効果）
第１実施形態では、無線端末１０は、オフロード処理を行った後にオンロード処理を行った場合に、個別パラメータを破棄する。無線端末１０は、個別パラメータを破棄しているため、無線基地局１００から判定パラメータとして新たな報知パラメータを受信すると、新たな報知パラメータに基づいて切替処理を行うか否かを判定する。従って、無線基地局１００は、報知パラメータを改めて報知することによって、無線端末１０の切替処理を制御することができ、無線基地局１００が把握できていない個別パラメータを無線端末１０が用いる事態の発生が抑制される。
【００８３】
なお、無線端末１０が個別パラメータを保持している場合には、無線基地局１００から判定パラメータとして新たな報知パラメータを受信しても、個別パラメータが報知パラメータよりも優先されるため、無線基地局１００が把握できていない個別パラメータが無線端末１０で用いられてしまうことに留意すべきである。
【００８４】
［変更例１］
以下において、第１実施形態の変更例１について説明する。以下においては、第１実施形態に対する相違点について主として説明する。
【００８５】
第１実施形態では、無線端末１０（制御部１３）は、オフロード処理を行った後にオンロード処理を行った場合に、個別パラメータを破棄する。これに対して、変更例１では、無線端末１０（ＬＴＥ無線通信部１１）は、オフロード処理を行った後にオンロード処理を行った場合に、個別パラメータの状態を示す情報（パラメータステータス）を無線基地局１００に送信する。パラメータステータス（個別パラメータの状態を示す情報）は、例えば、無線端末１０が個別パラメータを保持しているか否かを示す情報及び無線端末１０が保持する個別パラメータの値を示す情報のうち少なくともいずれか１つである。
【００８６】
なお、無線端末１０は、無線基地局１００に送信されるＲＲＣメッセージ（ＲＲＣ  Ｃｏｎｎｅｃｔｉon  Ｓｅｔｕｐ）にパラメータステータスを含めてもよい。無線端末１０は、オフロード処理が行われた後に行われるオンロード処理において、パラメータステータスを無線基地局１００に送信してもよい。
【００８７】
（通信方法）
以下において、変更例１に係る通信方法について説明する。図７は、変更例１に係る通信方法を示すシーケンス図である。ここでは、オフロード処理が行われた後にオンロード処理が行われるケースについて説明する。
【００８８】
図７に示すようにステップＳ２１において、無線端末１０は、無線基地局１００に在圏している。「在圏」とは、無線基地局１００が管理するセルに対する待ち受け状態（ＲＲＣアイドル状態）であってもよく、無線基地局１００が管理するセルに接続された接続状態（ＲＲＣコネクティッド状態）であってもよい。
【００８９】
ステップＳ２２において、無線端末１０は、判定パラメータとして報知パラメータを無線基地局１００から受信する。報知パラメータは、上述したように、無線基地局１００から報知されるＳＩＢ（例えば、ＷＬＡＮ−ＯｆｆｌｏａｄＣｏｎｆｉｇ−ｒ１２）に含まれる。
【００９０】
ステップＳ２３において、無線端末１０は、判定パラメータとして個別パラメータを無線基地局１００から受信する。個別パラメータは、上述したように、無線基地局１００から通知されるＲＲＣメッセージ（例えば、ＲＲＣ  Ｃｏｎｎｅｃｔｉｏｎ  Ｒｅｃｏｎｆｉｇｕｒａｔｉｏｎ）に含まれる。
【００９１】
ステップＳ２４において、無線端末１０は、個別パラメータに基づいて、上述した第１条件（条件（１ａ）又は（１ｂ））及び第２条件（条件（１ｃ）〜（１ｆ））が満たされるか否かを判定する。ここでは、無線端末１０は、第１条件及び第２条件が満たされたと判定して、移動通信網から無線ＬＡＮに対して待ち受け先又は接続先を切り替えるオフロード処理（アイドル状態遷移処理）を行う。
【００９２】
ステップＳ２５において、無線端末１０は、オフロード処理に伴ってアイドル状態に遷移するため、所定タイマ（上述した（Ｔ３５０タイマ）を起動する。無線端末１０は、所定タイマ（上述した（Ｔ３５０タイマ）が起動されている期間（Ｔ３５０タイマ値）において、個別パラメータを保持するように構成されている。
【００９３】
ステップＳ２６において、無線基地局１００は、オフロード処理に伴ってアイドル状態に遷移した無線端末１０に通知した個別パラメータを破棄する。
【００９４】
ステップＳ２７において、無線端末１０は、個別パラメータに基づいて、上述した第１条件（条件（２ａ）又は（２ｂ））及び第２条件（条件（２ｃ）〜（２ｆ））が満たされるか否かを判定する。ここでは、無線端末１０は、第１条件及び第２条件が満たされたと判定して、個別パラメータを通知するセルと同一のセルに対する接続処理を行うオンロード処理を行う。或いは、変更例１においては、無線端末１０は、通話アプリケーションの起動等によって移動通信網に接続する必要が生じた場合に、移動通信網への接続処理（すなわち、オンロード処理）を行ってもよい。
【００９５】
ステップＳ２８において、無線端末１０は、個別パラメータの状態を示す情報（パラメータステータス）を無線基地局１００に送信する。パラメータステータスは、上述したように、無線端末１０が個別パラメータを保持しているか否かを示す情報及び無線端末１０が保持する個別パラメータの値を示す情報のうち少なくともいずれか１つである。
【００９６】
（作用及び効果）
実施形態では、無線端末１０は、オフロード処理を行った後にオンロード処理を行った場合に、パラメータステータスを無線基地局１００に送信する。従って、パラメータステータスとして、無線端末１０が個別パラメータを保持しているか否かを示す情報を用いる場合には、無線基地局１００は、無線基地局１００が把握できていない個別パラメータを保持する無線端末１０を特定することができる。すなわち、無線基地局１００は、個別パラメータを保持する無線端末１０に対して個別パラメータを改めて通知することによって、無線端末１０の切替処理を制御することができ、無線基地局１００が把握できていない個別パラメータを無線端末１０が用いる事態の発生が抑制される。なお、個別パラメータの状態を示す情報として、無線端末１０が保持する個別パラメータの値を示す情報を用いる場合には、無線基地局１００は、無線端末１０が保持する個別パラメータを把握することができることは勿論である。
【００９７】
ここで、無線基地局１００（制御部１２０）は、個別パラメータの状態を示す情報として、無線端末１０が保持する個別パラメータの値を示す情報を無線端末１０から受信した場合には、個別パラメータの値を無線基地局１００で管理されるセルで無線端末１０を識別するＣ−ＲＮＴＩ（Ｒａｄｉｏ  Ｎｅｔｗｏｒｋ  Ｔｅｍｐｏｒａｒｙ  Ｉｄｅｎｔｉｆｉｅｒ）と対応付けて記憶することに留意すべきである。
【００９８】
［変更例２］
以下において、第１実施形態の変更例２について説明する。以下においては、第１実施形態に対する相違点について主として説明する。
【００９９】
第１実施形態では、無線基地局１００（制御部１２０）は、無線端末１０がオフロード処理を行った場合に、オフロード処理を行った無線端末１０に通知していた個別パラメータを破棄する。これに対して、変更例２では、無線基地局１００（制御部１２０）は、無線端末１０がオフロード処理を行った場合に、オフロード処理を行った無線端末１０に通知した個別パラメータを、オフロード処理又はアイドル状態への遷移が行われてから一定期間に亘って保持する。ここで、無線基地局１００（制御部１２０）は、無線端末１０がアイドル状態に遷移した理由が無線ＬＡＮへの切替処理であるのか把握できない可能性がある。従って、無線基地局１００（制御部１２０）は、無線端末１０がアイドル状態に遷移した場合に、アイドル状態への遷移の理由を問わずに一定期間に亘って個別パラメータを保持してもよいことに留意すべきである。
【０１００】
ここで、無線基地局１００が個別パラメータを保持すべき一定期間は、無線端末１０が個別パラメータを保持するように定められた期間（上述したＴ３５０タイマ値）よりも長いことが好ましい。
【０１０１】
変更例２において、無線基地局１００（制御部１２０）は、オフロード処理又はアイドル状態への遷移を行う前に無線端末１０に割り当てていた識別情報と対応付けて、オフロード処理又はアイドル状態への遷移を行った無線端末１０に通知した個別パラメータを保持することが好ましい。オフロード処理又はアイドル状態への遷移を行う前に無線端末１０に割り当てていた識別情報は、例えば、無線基地局１００で管理されるセルで無線端末１０を識別するＣ−ＲＮＴＩ（Ｒａｄｉｏ  Ｎｅｔｗｏｒｋ  Ｔｅｍｐｏｒａｒｙ  Ｉｄｅｎｔｉｆｉｅｒ）である。無線端末１０は、オフロード処理を行った後にオンロード処理を行う場合に、オフロード処理を行う前に無線端末１０に割り当てられていた識別情報を無線基地局１００に通知することが好ましい。
【０１０２】
（通信方法）
以下において、変更例２に係る通信方法について説明する。図８は、変更例２に係る通信方法を示すシーケンス図である。ここでは、オフロード処理が行われた後にオンロード処理が行われるケースについて説明する。
【０１０３】
図８に示すようにステップＳ３１において、無線端末１０は、無線基地局１００に在圏している。「在圏」とは、無線基地局１００が管理するセルに対する待ち受け状態（ＲＲＣアイドル状態）であってもよく、無線基地局１００が管理するセルに接続された接続状態（ＲＲＣコネクティッド状態）であってもよい。
【０１０４】
ステップＳ３２において、無線端末１０は、判定パラメータとして報知パラメータを無線基地局１００から受信する。報知パラメータは、上述したように、無線基地局１００から報知されるＳＩＢ（例えば、ＷＬＡＮ−ＯｆｆｌｏａｄＣｏｎｆｉｇ−ｒ１２）に含まれる。
【０１０５】
ステップＳ３３において、無線端末１０は、判定パラメータとして個別パラメータを無線基地局１００から受信する。個別パラメータは、上述したように、無線基地局１００から通知されるＲＲＣメッセージ（例えば、ＲＲＣ  Ｃｏｎｎｅｃｔｉｏｎ  Ｒｅｃｏｎｆｉｇｕｒａｔｉｏｎ）に含まれる。
【０１０６】
ステップＳ３４において、無線端末１０は、個別パラメータに基づいて、上述した第１条件（条件（１ａ）又は（１ｂ））及び第２条件（条件（１ｃ）〜（１ｆ））が満たされるか否かを判定する。ここでは、無線端末１０は、第１条件及び第２条件が満たされたと判定して、移動通信網から無線ＬＡＮに対して待ち受け先又は接続先を切り替えるオフロード処理（アイドル状態遷移処理）を行う。
【０１０７】
ステップＳ３５Ａにおいて、無線端末１０は、所定タイマ（上述した（Ｔ３５０タイマ）を起動する。ここでは、所定タイマには、期間Ｔ１がセットされる。
【０１０８】
ステップＳ３５Ｂにおいて、無線基地局１００は、所定タイマを起動する。所定タイマは、オフロード処理を行った無線端末１０に通知した個別パラメータを保持すべき期間を計測するタイマである。ここでは、所定タイマには、期間Ｔ１よりも長い期間Ｔ２がセットされる。なお、期間Ｔ２は、少なくともＴ１以上であってもよく、Ｔ１と同一であってもよい。また、その場合には、所定タイマには、Ｔ３５０タイマを使用してもよい。ここで、無線基地局１００は、無線端末１０がオフロード処理を行った旨を検出可能であれば、オフロード処理の検出に応じて所定タイマを起動してもよい。或いは、無線基地局１００は、無線端末１０がアイドル状態に遷移した旨を検出した場合に、アイドル状態への遷移の検出に応じて所定タイマを起動してもよい。
【０１０９】
ステップＳ３６において、無線端末１０は、個別パラメータに基づいて、上述した第１条件（条件（２ａ）又は（２ｂ））及び第２条件（条件（２ｃ）〜（２ｆ））が満たされるか否かを判定する。ここでは、無線端末１０は、第１条件及び第２条件が満たされたと判定して、個別パラメータを通知するセルと同一のセルに対する接続処理を行うオンロード処理を行う。
【０１１０】
ステップＳ３７Ａにおいて、ステップ３５Ａで期間Ｔ１がセットされた所定タイマが満了する。ステップ３８Ａにおいて、無線端末１０は、無線基地局１００から個別に通知された個別パラメータを破棄する。
【０１１１】
ステップＳ３７Ｂにおいて、ステップ３５Ｂで期間Ｔ２（＞期間Ｔ１）がセットされた所定タイマが満了する。ステップ３８Ｂにおいて、無線基地局１００は、オフロード処理を行った無線端末１０に通知した個別パラメータを破棄する。無線基地局１００は、個別パラメータと対応付けていた無線端末１０の識別情報（例えば、Ｃ−ＲＮＴＩ）を破棄してもよい。
【０１１２】
（作用及び効果）
変更例２では、無線基地局１００は、オフロード処理又はアイドル状態への遷移を行った無線端末１０に通知した個別パラメータを、オフロード処理又はアイドル状態への遷移が行われてから一定期間に亘って保持する。従って、無線端末１０がオフロード処理を行った後にオンロード処理を行った場合であっても、オフロード処理を行った無線端末１０に通知した個別パラメータを無線基地局１００が保持する可能性が向上する。言い換えると、無線基地局１００が把握できていない個別パラメータを無線端末１０が用いる事態の発生が抑制される。
【０１１３】
なお、変更例２では、無線基地局１００が個別パラメータを保持すべき一定期間は、無線端末１０が個別パラメータを保持するように定められた期間（上述したＴ３５０タイマ値）よりも長いため、無線基地局１００が把握できていない個別パラメータを無線端末１０が用いる事態が生じないことに留意すべきである。
【０１１４】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１１５】
第１実施形態では、無線端末１０の制御部１３は、オフロード処理を行った後に、個別パラメータを通知するセルと同一のセルに対する接続処理を行うオンロード処理を行った場合に、個別パラメータを破棄する。一方で、無線端末１０の制御部１３は、オフロード処理を行った後に、個別パラメータを通知するセルと異なるセルに対する接続処理を行った場合にも、個別パラメータを破棄してもよい。
【０１１６】
また、無線基地局１００は、個別パラメータを破棄する際に、無線端末１０にその旨を通知してもよい。その場合、無線端末１０は無線基地局１００からの個別パラメータを破棄する旨の通知を受けたことを契機として、個別パラメータを破棄してもよい。また、無線基地局１００から個別パラメータを破棄する旨の指示を無線端末１０に指示してもよい。
【０１１７】
実施形態では特に触れていないが、無線端末１０及び無線基地局１００が行う各処理をコンピュータに実行させるプログラムが提供されてもよい。また、プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【０１１８】
或いは、無線端末１０及び無線基地局１００が行う各処理を実行するためのプログラムを記憶するメモリ及びメモリに記憶されたプログラムを実行するプロセッサによって構成されるチップが提供されてもよい。
【０１１９】
実施形態では、移動通信網としてＬＴＥを例示した。しかしながら、実施形態はこれに限定されるものではない。移動通信網は、通信キャリアによって提供されるネットワークであればよい。従って、移動通信網は、Ｒｅｌｅａｓｅ９９であってもよく、ＧＳＭ(登録商標)であってもよい。
【０１２０】
［付記］
１．導入
接続確立（接続処理）における個別パラメータの処理は、ＷＬＡＮ／３ＧＰＰ無線インターワーキングに残される問題である。接続確立時における無線端末の動作について２の選択肢が設けられる。
【０１２１】
選択肢１、無線端末が個別ＲＡＮ補助パラメータを保持する。
【０１２２】
選択肢２、無線端末が個別ＲＡＮ補助パラメータを破棄する。
【０１２３】
この付記において、各案が様々な観点から分析され、我々は最善なる折衷案を提供する。
【０１２４】
２．検討
ＣＲの現行の合意では、Ｔ３５０が起動している場合でも、接続確立時に、個別ＲＡＮ補助パラメータが破棄されるものとする。
【０１２５】
現在の合意では、他のセルを再選択する度に無線端末が個別ＲＡＮ補助パラメータを破棄することが既に決定事項となる。この合意を支える一つの原則とは、セルチェンジを行うたびに、ターゲットセルが、無線端末の動作を制御する責任を取ることである。しかしながら、接続確立時、無線端末は、アイドル状態からコネクティッド状態へ遷移するのみで、同一のセル内に在圏する。従って、接続確立時に無線端末が個別ＲＡＮ補助パラメータを破棄するかしないかについては依然として検討が必要である。
【０１２６】
基本的に２つの選択肢が検討される。
【０１２７】
選択肢１、無線端末が個別ＲＡＮ補助パラメータを保持する。
【０１２８】
選択肢２、無線端末が個別ＲＡＮ補助パラメータを破棄する。
【０１２９】
各案にメリット及びデメリットがあるかもしれない。従って、最適の解決策に達するために、両方の案について異なる側面から更なる分析が必要となる。
【０１３０】
２．１．シグナリングオーバーヘッド
個別ＲＡＮ補助パラメータを利用すると、ＲＡＮ負荷、無線端末のトラフィック量及び無線端末のデータベアラに関するＣＱＩ等に基づいて、ＲＡＮは独立で無線端末を制御することができる。接続確立時に無線端末が個別パラメータを保持していない場合に、もしＲＡＮ又はＷＬＡＮ状態が変更されていないなら、ＲＡＮが無線端末に同一の個別パラメータを提供することが可能となる。
【０１３１】
考察１：同一の個別ＲＡＮ補助パラメータは、Ｔ３５０が満了するまでにＲＡＮ又はＷＬＡＮ状態が変更されない場合に限って利用されても良い。
【０１３２】
２．２．無線端末制御
多くの状況では、Ｔ３５０が１８０分以上に設定する可能性が考えられる。この場合、ＲＡＮ又はＷＬＡＮ状態がＴ３５０の満了まで変化しないと想定するのが不適切である。そして、ＲＡＮ又はＷＬＡＮ状態が変化する場合、以前に無線端末に設定されるものと異なる個別ＲＡＮ補助パラメータで無線端末を更新する必要もあり得る。例えば、ＲＡＮ負荷が変化すると、より良い無線端末制御のために、ＲＡＮが新しいパラメータで無線端末を更新できるようになる必要がある。
【０１３３】
現在、ＲＡＮが個別シグナリング又はブロードキャストのいずれかを介して、無線端末のトラフィックステアリング動作を制御することが想定される。選択肢２を採用すると、ＲＡＮは、どの無線端末が個別シグナリングに制御されるか、どの無線端末がブロードキャストに制御されるかを常に把握することができる。
【０１３４】
しかし、選択肢１が採用されると、ＲＡＮは、どの無線端末が個別パラメータを有するのかを常に把握することができなくなる。これは、コネクティッド状態の無線端末の一部が以前に設定された個別ＲＡＮ補助パラメータを保持していること、かつ、無線端末がアイドル状態に遷移した後にＲＡＮが無線端末のコンテクスト情報を保持していないことが想定されるからである。Ｔ３５０が満了する前に、ＲＡＮは、以前に設定された個別パラメータを保持するコネクティッド無線端末を制御できない。ＲＡＮが所定の時間帯に全部の無線端末を全制御しようとするのであれば、以前に設定された個別パラメータを用いる無線端末が存在しないことを確認しなければならない。そのため、ＲＡＮは、個別シグナリングで全部のコネクティッド無線端末を設定せざるを得ない。
【０１３５】
考察２：ＲＡＮ又はＷＬＡＮ状態が変更する場合に、無線端末制御のためにパラメータを破棄することは好適である。
【０１３６】
２．３．ピンポン現象回避
接続確立時に無線端末が個別パラメータを破棄することを想定する場合、無線端末がトラフィックをＷＬＡＮからＲＡＮに切り替えることが想定される。そして、ＲＡＮ又はＷＬＡＮ状態が変更されない場合、ＲＡＮは無線端末に同一の個別パラメータを設定する可能性があり、その結果、無線端末が同一のＷＬＡＮを選択してトラフィックを切り替えてしまい、ピンポン現象が起こり得る。具体的に、選択肢２にピンポン現象の発生は２つの可能性が考えられる。
【０１３７】
第一可能性：ＲＡＮは最新の個別パラメータを無線端末に提供する。
【０１３８】
ＲＡＮが個別パラメータを提供するかどうか、かつ、どのような値が提供されるのかは、ＲＡＮ又はＷＬＡＮ状態によって決められる。一部の状態が変更される場合に、ＲＡＮは個別パラメータで無線端末を設定することができない。ＲＡＮが個別シグナリングで無線端末を設定しなくても、値が変更される可能性がある。ＲＡＮが異なるパラメータ（簡単にＷＬＡＮを選択する）を提供すると、無線端末はトラフィックを再びＷＬＡＮに切り替える可能性がある、これは最新ＲＡＮ状態により発生する現象であるので、ネットワークの立場から好適である。
【０１３９】
第二可能性：ＲＡＮが同一の個別パラメータを無線端末に提供する。
【０１４０】
無線端末が個別パラメータを破棄し、ＲＡＮが同一の個別パラメータで無線端末を再設定することを想定する。無線端末がＷＬＡＮのカバレッジ内に残っても、無線端末が同一のＷＬＡＮを選択するかどうかが疑わしい。無線端末が接続確立を開始する一つの要因は、以前に無線端末に設定した閾値によるＷＬＡＮの劣化である。この場合、無線端末はトラフィックをＷＬＡＮからＲＡＮに切り替えようとしている。従って、ＲＡＮが同一の個別パラメータで無線端末を設定しても、ピンポン現象は発生しない。
【０１４１】
ただし、接続確立の開始が、例えば、音声通話等によるものであれば、確かにピンポン現象が発生する可能性はある。
【０１４２】
考察３：接続確立の原因がＷＬＡＮ劣化である場合、無線端末が以前に設定された個別パラメータを破棄し、かつ、無線端末が同一のパラメータで再設定される場合でも、ピンポン現象が発生する可能性は低い。
【０１４３】
考察４：接続確立の原因がサービス開始である場合、個別パラメータの破棄はピンポン現象の起因となり得る。
【０１４４】
２．４．折衷案
上記の考察から、全部のシナリオにおける全部の問題を解決できる単一の無線端末動作が存在しないことが明らかである。従って、結局どの無線端末動作が最善の折衷案を提供できるかを選択することになる。
【０１４５】
個別パラメータを保持することの利点は、一部のシナリオにおいてピンポン現象が回避可能である。しかし、セッション２．３で検討した通り、ピンポン現象の回避は、特にネットワークにとって、必ずしも常に良いことではない。
【０１４６】
接続確立時に個別パラメータが破棄される場合には、一部のシナリオにおいてピンポン現象は回避できないことになってしまう。ただし、もっと重要なのは、個別パラメータの破棄は、既存の無線端末とネットワーク動作とインラインすることができる（すなわち、ネットワークがコネクティッド状態の無線端末を全制御している）。ＲＡＮの渋滞が非常に悪い場合、ＲＡＮは無線端末の接続を拒絶することができる。これはネットワークにとって新しい動作ではない。ネットワークは、自分の無線端末のための全部の責任を取らなければならないことを承知している。ネットワークにとって最悪の事態は、無線端末が接続されても、自分には制御できないことである。
【０１４７】
従って、選択肢２が最善の折衷案として採用されるべきである。
【０１４８】
提案１：接続確立時、無線端末が個別ＲＡＮ補助パラメータを破棄することとする。
【０１４９】
３．結論
この付記において、我々は様々な観点から選択肢１又は選択肢２を分析し、我々から見る最善の折衷案を提案する。我々は下記の考察及び提案に達する。
【０１５０】
考察１：同一の個別ＲＡＮ補助パラメータは、Ｔ３５０が満了する前にＲＡＮ又はＷＬＡＮ状態が変更されない場合に限って利用される。
【０１５１】
考察２：ＲＡＮ又はＷＬＡＮ状態が変更する場合、パラメータを破棄することは無線端末制御のために好適である。
【０１５２】
考察３：接続確立の原因がＷＬＡＮ劣化であれば、無線端末が、以前に設定された個別パラメータを破棄し、かつ、同一のパラメータで再設定される場合でも、ピンポン現象が発生する可能性が低い。
【０１５３】
考察４：接続確立の原因がサービス開始であれば、個別パラメータの破棄はピンポン現象の起因となり得る。
【０１５４】
提案１：接続確立時、無線端末が個別ＲＡＮ補助パラメータを破棄することとする。
【０１５５】
［相互参照］
米国仮出願第６２／０５５４２８号（２０１４年９月２５日）の全内容が参照により本願明細書に組み込まれている。
【産業上の利用可能性】
【０１５６】
本発明は、通信分野において有用である。
【要約】
移動通信網と無線ＬＡＮとの間でトラフィックステアリングを行う無線端末であって、前記トラフィックステアリングを行うか否かを判定するための判定パラメータとして、前記移動通信網に設けられるセルから個別に通知される個別パラメータを受信する受信部と、前記セルに対してアイドル状態に遷移した後、前記セルに対する接続処理を行った場合に、前記個別パラメータを破棄する制御部とを備える。【図１】
0005981051.tif 000002
【図２】
0005981051.tif 000003
【図３】
0005981051.tif 000004
【図４】
0005981051.tif 000005
【図５】
0005981051.tif 000006
【図６】
0005981051.tif 000007
【図７】
0005981051.tif 000008
【図８】
0005981051.tif 000009